(57)【要約】【課題】使用時の自立の安定性に優れかつ、不使用時における積み重ね高さを抑えることが可能なロール保護盤を提供する。【解決手段】本発明のロール保護盤１０における四隅の角部のうち１対の角部からは三角柱状の１対のコーナー支柱１２，１２が突出しており、これらコーナー支柱１２，１２によってロール保護盤１０の自立が補助される。また、ロール保護盤１０の残りの両角部から、コーナー支柱１２の断面と同じ三角形分を切除して１対のコーナーカット部１３，１３が形成されている。そして、不使用時にコーナー支柱１２，１２を上方に向けかつ複数のロール保護盤１０を交互に１８０度旋回させて積み重ねた際に、下側のロール保護盤１０におけるコーナー支柱１２，１２を上側のロール保護盤１０におけるコーナーカット部１３，１３の側方に収容され、積み重ね高さを従来に比べて抑えることができる。【選択図】図３
2010052790.tif 000002
【特許請求の範囲】
【請求項１】
ロールの端面を覆うことが可能な四角形の板状をなしかつ、前記ロールの芯材の端部を支持可能な溝状又は孔状の芯材支持部を備えたロール保護盤であって、
使用時には、起立姿勢にされて前記ロールの両端部に配置され、前記ロールを浮かせた状態に保持する一方、不使用時には寝かせた姿勢で積み重ねられるロール保護盤において、
前記ロール保護盤の四隅の角部のうち前記起立姿勢で下側に位置する両角部から突出してロール保護盤の自立を補助する１対のコーナー支柱を設けると共に、ロール保護盤の残りの両角部を前記コーナー支柱の断面形状と同一又はそれより広い範囲で切除して１対のコーナーカット部を形成し、
前記不使用時に前記コーナー支柱を上方に向けかつ複数のロール保護盤を交互に１８０度旋回させて積み重ねた際に、下側のロール保護盤における前記コーナー支柱を上側のロール保護盤における前記コーナーカット部の側方に収容して、上下のロール保護盤を、四辺の外縁部がそれぞれ一致した正規積み重ね位置に配置可能としたことを特徴とするロール保護盤。
【請求項２】
前記ロール保護盤のうち前記コーナー支柱が突出した主平面の外縁寄り位置に、係止突起を形成する一方、前記ロール保護盤のうち前記主平面に対する裏面に、前記係止突起と係合可能な係止凹部を形成し、それら係止突起と係止凹部との係合によって上下のロール保護盤を前記正規積み重ね位置に保持可能としたことを特徴とする請求項１に記載のロール保護盤。
【請求項３】
前記芯材支持部は、前記溝状をなしかつその底部で前記芯材を支持し、
前記係止突起は、起立姿勢のロール保護盤における前記芯材支持部より下側位置に配置されると共に、前記芯材支持部から離れるに従って徐々に前記主平面から離れた傾斜面と、前記主平面から直角に立ち上がって前記傾斜面と交差した係止面とを有していることを特徴とする請求項２に記載のロール保護盤。
【請求項４】
前記１対のコーナー支柱は、それらコーナー支柱を有するロール保護盤の上に積み重ねた別のロール保護盤より上方に突出する大きさをなし、
前記ロール保護盤のうち前記１対のコーナー支柱との反対面には、２つ下のロール保護盤における前記コーナー支柱の先端部が係合してロール保護盤同士をズレ止めする支柱受容凹部が備えられたことを特徴とする請求項１乃至３の何れかに記載のロール保護盤。
【請求項５】
前記コーナー支柱は三角柱構造をなす一方、前記コーナーカット部は、前記コーナー支柱の断面と同じ三角形分を、前記ロール保護盤の角部から切除した面取り構造をなし、
前記コーナー支柱の三角柱構造の斜面と、前記コーナーカット部の面取り斜面とにより、上下のロール保護盤を前記正規積み重ね位置に案内可能としたことを特徴とする請求項１乃至４の何れかに記載のロール保護盤。
【発明の詳細な説明】
【技術分野】
【０００１】
本発明は、水平方向に芯材が延びたロールの両端面を覆い、ロールの外周面を床面から浮かせた状態に保持可能なロール保護盤に関する。
【背景技術】
【０００２】
従来、この種のロール保護盤は、全体が四角形の板状をなし、ロールの芯材の端部を支持可能な芯材支持部を備えている。また、ロール保護盤のうちロールとの合わせ面における四隅の角部からそれぞれコーナー支柱が突出している。そして、使用時には、１対のロール保護盤が床面から起立した状態でロールの両端面に宛がわれ、ロールの外周面を床面から浮かせた状態に保持する。このとき、１対のコーナー支柱により、ロール保護盤の自立が補助される。また、不使用時には、ロール保護盤は寝かせた状態で積み重ねられる。このとき、各ロール保護盤の４つのコーナー支柱の先端が、その上側又は下側のロール保護盤に突き当てられ、上下のロール保護盤が平行な状態に維持される（例えば、特許文献１参照）。
【特許文献１】特開２００５−２２６６０号公報（第８図、第９図）
【発明の開示】
【発明が解決しようとする課題】
【０００３】
しかしながら、上記した従来のロール保護盤では、積み重ねた際、上下のロール保護盤の間に、コーナー支柱に囲まれた無駄な空間が形成され、積み重ね高さが大きくなる。また、自立させた１対のロール保護盤の間に上方からロールを降下させる使用方法で用いた場合に、上側のコーナー支柱が邪魔になる。これに対して、単に上側の１対のコーナー支柱を排除し、下側にのみ１対のコーナー支柱を設けた構造にすると、不使用時にロール保護盤同士を積み重ねることができなくなる。また、全てのコーナー支柱を排除すると、使用時におけるロール保護盤の自立の安定性が悪くなり、ロールへの装着作業が困難になる。
【０００４】
本発明は、上記事情に鑑みてなされたもので、使用時の自立の安定性に優れかつ、不使用時における積み重ね高さを抑えることが可能なロール保護盤の提供を目的とする。
【課題を解決するための手段】
【０００５】
上記目的を達成するためになされた請求項１の発明に係るロール保護盤は、ロールの端面を覆うことが可能な四角形の板状をなしかつ、ロールの芯材の端部を支持可能な溝状又は孔状の芯材支持部を備えたロール保護盤であって、使用時には、起立姿勢にされてロールの両端部に配置され、ロールを浮かせた状態に保持する一方、不使用時には寝かせた姿勢で積み重ねられるロール保護盤において、ロール保護盤の四隅の角部のうち起立姿勢で下側に位置する両角部から突出してロール保護盤の自立を補助する１対のコーナー支柱を設けると共に、ロール保護盤の残りの両角部をコーナー支柱の断面形状と同一又はそれより広い範囲で切除して１対のコーナーカット部を形成し、不使用時にコーナー支柱を上方に向けかつ複数のロール保護盤を交互に１８０度旋回させて積み重ねた際に、下側のロール保護盤におけるコーナー支柱を上側のロール保護盤におけるコーナーカット部の側方に収容して、上下のロール保護盤を、四辺の外縁部がそれぞれ一致した正規積み重ね位置に配置可能としたところに特徴を有する。
【０００６】
請求項２の発明は、請求項１に記載のロール保護盤において、ロール保護盤のうちコーナー支柱が突出した主平面の外縁寄り位置に、係止突起を形成する一方、ロール保護盤のうち主平面に対する裏面に、係止突起と係合可能な係止凹部を形成し、それら係止突起と係止凹部との係合によって上下のロール保護盤を正規積み重ね位置に保持可能としたところに特徴を有する。
【０００７】
請求項３の発明は、請求項２に記載のロール保護盤において、芯材支持部は、溝状をなしかつその底部で芯材を支持し、係止突起は、起立姿勢のロール保護盤における芯材支持部より下側位置に配置されると共に、芯材支持部から離れるに従って徐々に主平面から離れた傾斜面と、主平面から直角に立ち上がって傾斜面と交差した係止面とを有しているところに特徴を有する。
【０００８】
請求項４の発明は、請求項１乃至３の何れかに記載のロール保護盤において、１対のコーナー支柱は、それらコーナー支柱を有するロール保護盤の上に積み重ねた別のロール保護盤より上方に突出する大きさをなし、ロール保護盤のうち１対のコーナー支柱との反対面には、２つ下のロール保護盤におけるコーナー支柱の先端部が係合してロール保護盤同士をズレ止めする支柱受容凹部が備えられたところに特徴を有する。
【０００９】
請求項５の発明は、請求項１乃至４の何れかに記載のロール保護盤において、コーナー支柱は三角柱構造をなす一方、コーナーカット部は、コーナー支柱の断面と同じ三角形分を、ロール保護盤の角部から切除した面取り構造をなし、コーナー支柱の三角柱構造の斜面と、コーナーカット部の面取り斜面とにより、上下のロール保護盤を正規積み重ね位置に案内可能としたところに特徴を有する。
【発明の効果】
【００１０】
［請求項１の発明］
請求項１のロール保護盤では、その四隅の角部のうち１対の角部から突出した１対のコーナー支柱によって使用時のロール保護盤の自立を安定させることができる。また、ロール保護盤の角部をコーナー支柱の断面形状と同一又はそれより広い範囲で切除して１対のコーナーカット部を形成したので、起立姿勢の１対のロール保護盤の間に上方からロールを降下させる使用方法で用いた場合に、従来のように、コーナー支柱が邪魔になることはない。そして、不使用時にコーナー支柱を上方に向けかつ複数のロール保護盤を交互に１８０度旋回させて積み重ねた際に、下側のロール保護盤におけるコーナー支柱を上側のロール保護盤におけるコーナーカット部の側方に収容して、上下のロール保護盤を正規積み重ね位置に配置することができる。これにより、不使用時におけるロール保護盤の積み重ね高さを従来に比べて抑えることができる。
【００１１】
［請求項２の発明］
請求項２のロール保護盤では、積み重ねた際に、上下のロール保護盤の間で係止突起と係止凹部とが互いに係合して、上下のロール保護盤を正規積み重ね位置に係止することができ、積み重ね状態が安定する。
【００１２】
［請求項３の発明］
請求項３のロール保護盤では、積み重ねる際に、下側のロール保護盤に摺接させて上側のロール保護盤を水平移動して行くと、下側のロール保護盤の係止突起における傾斜面に上側のロール保護盤が乗り上がり、その傾斜面を通過したところで、上側のロール保護盤の係止凹部に下側のロール保護盤の係止突起が係合する。これにより、ロール保護盤の積み重ね作業が容易になる。しかも、係止突起は、起立姿勢のロール保護盤における芯材支持部より下側位置に配置されているので、起立姿勢の１対のロール保護盤の間に上方からロールを降下させる使用方法で用いた場合に、係止突起がロールに干渉することもない。
【００１３】
［請求項４の発明］
請求項４のロール保護盤では、積み重ねた際に、１つおきに配置された１対のロール保護盤の間で先端係合部と支柱受容凹部とが互いに係合し、積み重ね状態が安定する。
【００１４】
［請求項５の発明］
請求項５のロール保護盤によれば、コーナー支柱は三角柱構造をなす一方、コーナーカット部は、コーナー支柱の断面と同じ三角形分を、ロール保護盤の角部から切除した面取り構造をなしているので、ロール保護盤の上に別のロール保護盤を水平移動しながら積み重ねるときに、コーナー支柱の三角柱構造における斜面と、コーナーカット部の面取り斜面とを摺接させて、上下のロール保護盤を正規積み重ね位置に案内することができる。これにより、ロール保護盤の積み重ね作業が容易になる。
【発明を実施するための最良の形態】
【００１５】
［第１実施形態］
以下、本発明の一実施形態を図１〜図６に基づいて説明する。図１において符号９０は、ロールであって水平方向に延びた円筒状の芯材９１にシート（例えば樹脂フィルム、紙等）を巻回してなる。また、ロール９０の両端面９０Ａからは、芯材９１の両端部が突出している。このロール９０を保護するために本実施形態のロール保護盤１０が使用される。
【００１６】
ロール保護盤１０は、合成樹脂の射出成形品であって、全体が四角形の板状をなし、その四角形の中央と一側縁部との間に亘ってＵ字溝１１（本発明の「芯材支持部」に相当する）が形成されている。そして、使用時には、図１に示すように、１対のロール保護盤１０が、荷物置き場の床面９５から起立した状態で対向配置され、図２に示すように、芯材９１の両端部をＵ字溝１１の底部で支持し、ロール９０を床面９５から浮かせた状態に保持する。また、不使用時には、図５に示すようにロール保護盤１０が床面９５と平行に寝かされた状態で、交互に１８０度向きを変えて積み重ねられる。
【００１７】
具体的には、図１に示すように、ロール保護盤１０は、主平板２０の裏面に格子形リブ１７を一体成形して備え、主平板２０の外縁部から裏面側に突出した側壁１０ＣとＵ字溝１１の内壁とによって格子形リブ１７全体を囲んだ構造になっている。なお、主平板２０のうち格子形リブ１７と反対側の面が本発明に係る主平面１０Ａになっている。
【００１８】
図１に示すように、Ｕ字溝１１の底部は、ロール保護盤１０の全体形状の四角形における中央部分に位置し、Ｕ字溝１１の開放口は、起立姿勢のロール保護盤１０における上縁部に位置している。Ｕ字溝１１の内壁は、底部に配置された半円状の半円弧壁１１Ｃと、その半円弧壁１１Ｃの両端部から図１における略鉛直上方に延びた１対の平板壁１１Ｂ，１１Ｂと、それら平板壁１１Ｂ，１１Ｂの上端部から斜め外側上方に向かって互いに離れるように延びた１対のテーパー壁１１Ａ，１１Ａとから構成されている。なお、半円弧壁１１Ｃの円弧の中心点は、主平面１０Ａの上下方向の中心より若干上方に位置している。
【００１９】
ロール保護盤１０の裏面（主平面１０Ａと反対側の面）の下側部分には、１対の筋交いリブ１７Ａ，１７Ａが形成されている。各筋交いリブ１７Ａ，１７Ａは、半円弧壁１１Ｃの最下端部から両側に略４５度ずつそれぞれ離れた位置と、起立姿勢のロール保護盤１０における下端部両角部との間を連絡しかつ格子形リブ１７によって仕切られた四角形の複数のマス部屋を対角線方向で横切って延びている。
【００２０】
ロール保護盤１０の裏面の上側部分には、左右に１対ずつ計４つの筋交いリブ１７Ｂが設けられている。これら１対ずつの筋交いリブ１７Ｂ，１７Ｂは、Ｕ字溝１１の内側面とロール保護盤１０の上面のうち、それらが交差してなる角部寄りの２位置から斜め外側下方に平行に延びて、複数のマス部屋を対角線方向で横切り、ロール保護盤１０の両サイドの側壁１０Ｃ，１０Ｃにそれぞれ連絡されている。また、Ｕ字溝１１の内側面とロール保護盤１０の上面とが交差する角部のマス部屋は、本発明にかかる係止凹部１５になっている。
【００２１】
ロール保護盤１０の四隅の角部のうち起立姿勢における下側両角部からは、１対のコーナー支柱１２，１２が突出している。コーナー支柱１２は、例えば、断面が直角三角形の三角柱構造をなし、主平面１０Ａから直立している。そのコーナー支柱１２の側面のうち互いに直交した側面１２Ｂ，１２Ｃは、ロール保護盤１０のうち互いに直交した１対の側壁１０Ｃ，１０Ｃの外側面と面一になっている。そして、ロール保護盤１０を起立姿勢にした際に、コーナー支柱１２の側面１２Ｃが床面９５に当接し、ロール保護盤１０の自立を補助する。また、コーナー支柱１２の側面のうち主平面１０Ａの中央側を向いた側面は、不使用のロール保護盤１０を積み重ねる際に、他のロール保護盤１０を案内するためのガイド斜面１２Ａになっている。
【００２２】
図３（Ａ）に示すように、コーナー支柱１２の先端面１２Ｄには、先端係合部１２Ｔが突出形成されている。その先端係合部１２Ｔは、先端面１２Ｄの形状に相似して小さくなった三角形になっている。そして、図６に示すように、ロール保護盤１０のうち主平板２０と格子形リブ１７とを合わせた厚さと、コーナー支柱１２のうち主平面１０Ａから先端面１２Ｄまでの高さとが同一になっており、先端係合部１２Ｔは先端面１２Ｄから段付き状に僅かに突出している。
【００２３】
ロール保護盤１０の裏面には、図４（Ａ）に示すように、１対のコーナー支柱１２，１２の裏側位置に支柱受容凹部１６，１６が形成されている。各支柱受容凹部１６は、筋交いリブ１７Ａ全体及び格子形リブ１７全体の主平板２０からの突出量に対し、コーナー支柱１２の裏側に位置したリブ１７Ａ及び格子形リブ１７の突出量を小さくすることで、ロール保護盤１０の裏面全体から陥没した構造になっている。これにより先端係合部１２Ｔが支柱受容凹部１６内に係合可能になっている。
【００２４】
図１に示すように、ロール保護盤１０の主平面１０Ａにおけるコーナー支柱１２，１２の間には、１対の係止突起１４，１４が突出形成されている。各係止突起１４は、起立姿勢のロール保護盤１０の上下方向において、上記した係止凹部１５，１５の真下に位置している。また、図６に示すように、係止突起１４は、主平面１０Ａから斜めに迫り出した傾斜面１４Ａと、主平面１０Ａから直立した係止面１４Ｂとを有する三角形になっている。さらに、ロール保護盤１０を起立姿勢にした状態で、係止面１４Ｂが下方を向くように配置されている。そして、ロール保護盤１０を不使用時に積み重ねた際に、下側のロール保護盤１０の係止突起１４，１４が上側のロール保護盤１０における係止凹部１５，１５に係合する。
【００２５】
ロール保護盤１０の各側壁１０Ｃには、複数のベルト受容１８が縦横に対称に形成されている。また、起立姿勢でロール保護盤１０の上面と下面とに位置する側壁１０Ｃ，１０Ｃとには、それぞれ左右対称に１対ずつのグロメット装着孔１９，１９（図３（Ａ）参照）が形成されている。そして、必要に応じてグロメット装着孔１９にゴム製の図示しないグロメットを取り付けて、滑り止めを図ることができる。
【００２６】
本実施形態のロール保護盤１０の構成に関する説明は以上である。次ぎに、本実施形態のロール保護盤１０の作用効果について説明する。ロール保護盤１０を使用する際には、図１に示すように、１対のロール保護盤１０，１０を荷物置き場の床面９５から起立させて、主平面１０Ａ，１０Ａ同士を対向させた状態にする。また、主平面１０Ａ，１０Ａ同士の間隔は、ロール９０における両端面９０Ａ，９０Ａの間の距離と略同一にしておく。なお、上記した「荷物置き場の床面」には、倉庫や工場の床面が含まれるのみならず、フォークリフト用のパレットの上面やトラックの荷台の上面も「荷物置き場の床面」に含まれる。
【００２７】
次いで、ロール９０を吊り上げて１対のロール保護盤１０，１０の間に上方から降下させる。ここでロール９０を傷付けずに吊り上げるためには、例えば、芯材９１の内側に図示しない柱材を挿入して芯材９１の両端部から突出させておき、その柱材の両端部に掛けたロープをロール９０の本体部分に接触しない状態にして吊り上げればよい。
【００２８】
ロール９０を吊り上げてロール保護盤１０，１０の間に上方から降下させる途中で、芯材９１の両端部を各ロール保護盤１０の各Ｕ字溝１１内に上方から進入させる。ここで、Ｕ字溝１１は、上方の向かって徐々に拡開しているのでスムーズに芯材９１をＵ字溝１１内に進入させることができる。また、主平面１０Ａに形成されたコーナー支柱１２，１２及び係止突起１４，１４の突出部位は、全てＵ字溝１１より下方に配置されているので、ロール９０を起立姿勢のロール保護盤１０，１０の間に降下させる際に、それら突出部位が邪魔になることはない。
【００２９】
図２に示すように、芯材９１の両端部が各ロール保護盤１０のＵ字溝１１における底部に当接したら柱材を引き抜く。すると、芯材９１の両端部がロール保護盤１０，１０におけるＵ字溝１１の底部に支持され、ロール９０の外周面が床面９５から浮いた状態に保持される。また、ロール９０の両端面９０Ａ，９０Ａは、Ｕ字溝１１との対向部分を除く全体がロール保護盤１０，１０によって覆われた状態になる。これらによりロール９０が傷つかないようにロール保護盤１０によって保護される。
【００３０】
次いで、必要に応じて、１対のロール保護盤１０，１０及びロール９０を図示しないベルトで一纏めにする。具体的には、環状のベルトの内側に１対のロール保護盤１０，１０及びロール９０を配置しかつ、両ロール保護盤１０，１０の同一位置のベルト受容１８にベルトの一部を受容した状態で、そのベルトを締める。これにより、ロール保護盤１０，１０の間に複数のベルトが差し渡された状態で、ロール保護盤１０，１０がロール９０の両端面９０Ａ，９０Ａに押し付けられて固定される。この状態で、１対のロール保護盤１０，１０の上面にパレットを載置し、そのパレットの上面に別のロール９０をロール保護盤１０，１０で保持した状態にして積み上げることができる。
【００３１】
ロール保護盤１０は、不使用時には、図５に示すように、コーナー支柱１２を上に向け、交互に１８０度旋回させて複数積み重ねておくことができる。具体的には、コーナー支柱１２を上方に向け、ロール保護盤１０を床面９５（図１参照）に寝かせる。そして、そのロール保護盤１０の上に別のロール保護盤１０を１８０度旋回させて積み上げる。すると、図４（Ｂ）に示すように、下側のロール保護盤１０における１対のコーナー支柱１２，１２が上側のロール保護盤１０における１対のコーナーカット部１３，１３の側方に収まる。これにより上下のロール保護盤１０，１０を、四辺の外縁部がそれぞれ一致した正規積み重ね位置に配置することができる。そして、ロール保護盤１０を積み重ね高さを従来に比べて抑えることができる。即ち、四隅にコーナー支柱を備えた従来のロール保護盤では、積み重ねた際に、上下のロール保護盤の間にコーナー支柱に四方を囲まれた無駄な空間が形成されていたが、本実施形態のロール保護盤１０では、そのような無駄な空間がロール保護盤１０，１０の間に形成されることはなく、積み重ね高さを抑えることができる。
【００３２】
また、ロール保護盤１０の積み重ねられると、図６に示すように、下側のロール保護盤１０における係止突起１４が上側のロール保護盤１０における係止凹部１５に係合し、ロール保護盤１０の重ね状態が安定する。また、３つ以上のロール保護盤１０，１０を積み重ねた場合、ロール保護盤１０とその２つ下のロール保護盤１０との間で、支柱受容凹部１６とコーナー支柱１２の先端係合部１２Ｔとが係合する。これにより、積み重ね状態の安定性が増す。
【００３３】
さて、本実施形態のロール保護盤１０では、コーナー支柱１２は三角柱構造をなす一方、コーナーカット部１３は、コーナー支柱１２の断面と同じ三角形分を、ロール保護盤１０の角部から切除した面取り構造をなしているので、積み重ね作業も容易に行うことができる。即ち、図３（Ａ）及び図３（Ｂ）に示すように、ロール保護盤１０のうちコーナー支柱１２，１２を有した側の縁部を持ち上げてロール保護盤１０を傾斜姿勢にし、そのロール保護盤１０の下端側の縁部を、下側のロール保護盤１０の主平面１０Ａに摺接させながら正規積み重ね位置に向けて水平移動すると、コーナー支柱１２の三角柱構造におけるガイド斜面１２Ａと、コーナーカット部１３の面取り側面とが案内により、ロール保護盤１０を下側のロール保護盤１０に対する正規積み重ね位置に容易に移動することができる。
【００３４】
また、ロール保護盤１０の水平移動の途中で、上側のロール保護盤１０の端部が下側のロール保護盤１０の係止突起１４における傾斜面１４Ａに摺接して乗り上がる。そして、上側のロール保護盤１０が正規積み重ね位置に至ったときに、下側の係止突起１４を超え、図６に示すように、上側のロール保護盤１０の係止凹部１５に下側のロール保護盤１０の係止突起１４が係合する。そして、ロール保護盤１０の傾斜姿勢から水平姿勢に変えれば、先端係合部１２Ｔと支柱受容凹部１６とが係合する。このように、本実施形態によれば、係止突起１４と係止凹部１５、先端係合部１２Ｔと支柱受容凹部１６の係合を含めたロール保護盤１０の積み重ね作業を容易に行うことができる。
【００３５】
［第２実施形態］
本実施形態は図７〜図９に示されており、ロール９０の芯材９１における両端部に芯材キャップ４０，４０が装着される。そして、それら芯材キャップ４０，４０を介して芯材９１の両端部がロール保護盤１０，１０のＵ字溝１１，１１内に保持される。具体的には、芯材キャップ４０は、図７に示すように、芯材９１に挿入可能な挿入筒４１の後端部には、連結部４２を備えている。連結部４２は、ロール保護盤１０のＵ字溝１１におけるＵ半円弧壁１１Ｃから平板壁１１Ｂ，１１Ｂに亘る内面形状と略同一形状のＵ字形側面４２Ａを有し、そのＵ字形側面４２Ａの前縁部と後縁部とから側方に向かってＵ字形フランジ壁５１，５２がそれぞれ張り出している。また、芯材キャップ４０には、軸方向全体に亘って上面開放のツール受容溝４３が形成されている。上記以外の構成は、第１実施形態と同様であるので、第１実施形態と重複した説明は省略する。
【００３６】
本実施形態の構成では、ロール保護盤１０，１０にロール９０を保持させるには、図８に示すように、予め芯材キャップ４０，４０の挿入筒４１，４１を芯材９１の両端部に嵌合装着しておく。そして、両芯材キャップ４０，４０のツール受容溝４３，４３を通して図示しない柱材を挿入筒４１に挿通させ、その柱材の両端部をロープで吊り上げる。また、起立姿勢のロール保護盤１０，１０の間にロール９０を降下する過程で、各芯材キャップ４０におけるＵ字形フランジ壁５１，５２の間にＵ字溝１１の縁部を挿入する。そして、図９に示すように、結合部４２のＵ字形側面４２ＡがＵ字溝１１の下端部内面に当接すると、芯材キャップ４０がロール保護盤１０に対して固定され、芯材キャップ４０を介してロール９０がロール保護盤１０に保持される。
【００３７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００３８】
（１）前記第１及び第２の実施形態では、コーナーカット部１３が、ロール保護盤１０の角部をコーナー支柱１２の断面形状と同一の範囲で切除した形状になっていたが、ロール保護盤の角部をコーナー支柱の断面形状より広い範囲で切除してコーナーカット部を形成してもよい。具体的には、図１０に示すように、コーナー支柱１２を断面三角形の角柱構造とし、そのコーナー支柱１２の断面より大きな三角形分だけロール保護盤１０の角部を切除してコーナーカット部１３Ｖを形成してもよい。この場合、ロール保護盤１０の主平面１０Ａに、例えば１対の係止突部３３，３３を係止突部１４，１４とは別の位置に設けて、上側のロール保護盤１０における格子形リブ１７のマス部屋の係合可能としておけば、コーナー支柱１２とコーナーカット部１３Ｖとが当接しない状態でも、係止突部１４，１４，３３，３３とマス部屋との係合によって、上下のロール保護盤１０，１０を正規積み重ね位置に保持することができる。
【００３９】
（２）前記第１及び第２の実施形態では、コーナーカット部１３は断面三角形の角柱状をなしていたが、図１１に示すように、例えば、１対のコーナー支柱３０，３０を断面四角形の角柱状とし、そのコーナー支柱３０の断面と同じ四角形分だけロール保護盤１０の角部から切除して１対のコーナーカット部３１，３１を形成してよい。この場合、コーナー支柱３０の１つの側面３０Ｃが床面に当接してロール保護盤１０の自立を補助されると共に、コーナー支柱３０の別の２つの側面を３０Ａ，３０Ｄをコーナーカット部３１における直交した２面３１Ａ，３１Ｂに当接させて上下のロール保護盤１０，１０を位置決めすることができる。なお、コーナー支柱３０の端面の先端係合部３０Ｔは、例えば、コーナー支柱３０の断面形状と相似形の四角形にしてもよい。
【００４０】
（３）また、図１２に示すように、例えば１対のコーナー支柱３２，３２を円柱状とし、そのコーナー支柱３２の断面形状である円が内接する四角形分だけロール保護盤１０の角部から切除してコーナーカット部３１，３１を形成してもよい。この場合、コーナー支柱３２の外周面３２Ａが床面に当接してロール保護盤１０の自立を補助すると共に、コーナー支柱３２の外周面をコーナーカット部３１における直交した２面３１Ａ，３１Ｂに当接させて上下のロール保護盤１０，１０を位置決めすることができる。なお、コーナー支柱３２の端面の先端係合部３２Ｔは、例えば、コーナー支柱３２の断面形状と相似形の円形にしてもよい。
【００４１】
（４）前記第１実施形態のロール保護盤１０及び図１０〜図１２に示した変形例のロール保護盤１０は、本発明の「芯材支持部」としてＵ字溝１１を備えていたが、芯材９１の端部を水平方向から嵌合可能な円形孔を本発明の「芯材支持部」として備えてもよい。
【図面の簡単な説明】
【００４２】
【図１】本発明の第１実施形態に係るロール保護盤の起立姿勢の斜視図
【図２】ロール保護盤をロールの両端面に装着した状態の斜視図
【図３】ロール保護盤を積み重ねる途中の状態を示した斜視図
【図４】ロール保護盤を積み重ねる途中の状態を示した斜視図
【図５】ロール保護盤を積み重ねた状態を示した斜視図
【図６】ロール保護盤の積み重ねた状態を示した側断図
【図７】第２実施形態に係るロール保護盤の起立姿勢の斜視図
【図８】ロールに芯材キャップを装着した状態の斜視図
【図９】ロール保護盤をロールの両端面に装着した状態の斜視図
【図１０】変形例（１）に係るロール保護盤を積み重ねた状態を示した斜視図
【図１１】変形例（２）に係るロール保護盤を積み重ねた状態を示した斜視図
【図１２】変形例（３）に係るロール保護盤を積み重ねた状態を示した斜視図
【符号の説明】
【００４３】
１０    ロール保護盤
１０Ａ    主平面
１１    Ｕ字溝（芯材支持部）
１２，３０，３２    コーナー支柱
１２Ａ    ガイド斜面
１２Ｔ，３０Ｔ，３２Ｔ    先端係合部
１３，１３Ｖ，３１    コーナーカット部
１４，３３  係止突起
１４Ａ    傾斜面
１４Ｂ    係止面
１５    係止凹部
１６    支柱受容凹部
４０    芯材キャップ
９０    ロール
９１    芯材
９５    床面
【図１】
2010052790.tif 000003
【図２】
2010052790.tif 000004
【図３】
2010052790.tif 000005
【図４】
2010052790.tif 000006
【図５】
2010052790.tif 000007
【図６】
2010052790.tif 000008
【図７】
2010052790.tif 000009
【図８】
2010052790.tif 000010
【図９】
2010052790.tif 000011
【図１０】
2010052790.tif 000012
【図１１】
2010052790.tif 000013
【図１２】
2010052790.tif 000014